(57)【要約】【課題】複数の無線中継装置の負荷を分散させることが可能な無線通信制御装置、無線通信システム、チャネル割り当て方法及びプログラムを提供する。【解決手段】通信制御装置１００は、マルチチャネルアクセス方式で無線通信を行う複数の無線中継装置の優先順位を設定する優先順位設定部１１０と、複数の無線中継装置のうちいずれかの無線中継装置の制御チャネルを利用する無線端末に対し、設定された無線中継装置の優先順位に基づいて、無線中継装置の通信チャネルを割り当てるチャネル割り当て部１２０と、を備える。【選択図】図２
2020191538.tif 000002
【特許請求の範囲】
【請求項１】
マルチチャネルアクセス方式で無線通信を行う複数の無線中継装置の優先順位を設定する優先順位設定部と、
前記複数の無線中継装置のうちいずれかの無線中継装置の制御チャネルを利用する無線端末に対し、前記設定された無線中継装置の優先順位に基づいて、前記無線中継装置の通信チャネルを割り当てるチャネル割り当て部と、
を備える、無線通信制御装置。
【請求項２】
前記優先順位設定部は、前記複数の無線中継装置における複数の通信キャリアの優先順位を設定し、
前記チャネル割り当て部は、前記設定された通信キャリアの優先順位に基づいて、前記無線中継装置の通信チャネルを割り当てる、
請求項１に記載の無線通信制御装置。
【請求項３】
前記優先順位設定部は、前記複数の通信キャリアのうち代行通信用の通信キャリアの優先順位を他の通信キャリアの優先順位よりも低く設定する、
請求項２に記載の無線通信制御装置。
【請求項４】
前記優先順位設定部は、前記複数の通信キャリアにおける複数の通信チャネルの優先順位を設定し、
前記チャネル割り当て部は、前記設定された通信チャネルの優先順位に基づいて、前記無線中継装置の通信チャネルを割り当てる、
請求項２または３に記載の無線通信制御装置。
【請求項５】
前記チャネル割り当て部は、前記優先順位に基づき、前記無線端末の接続ごとに前記複数の無線中継装置のいずれかを順次選択し、前記選択された無線中継装置の通信チャネルを割り当てる、
請求項１乃至４のいずれか一項に記載の無線通信制御装置。
【請求項６】
前記チャネル割り当て部は、前記複数の無線中継装置のいずれかをラウンドロビン方式で選択する、
請求項５に記載の無線通信制御装置。
【請求項７】
前記チャネル割り当て部は、前記複数の無線中継装置のいずれかを空き通信チャネルの多い順に選択する、
請求項５に記載の無線通信制御装置。
【請求項８】
無線端末と複数の無線中継装置と無線通信制御装置とを備えた無線通信システムであって、
前記無線通信制御装置は、
マルチチャネルアクセス方式で無線通信を行う前記複数の無線中継装置の優先順位を設定する優先順位設定部と、
前記複数の無線中継装置のうちいずれかの無線中継装置の制御チャネルを利用する前記無線端末に対し、前記設定された無線中継装置の優先順位に基づいて、前記無線中継装置の通信チャネルを割り当てるチャネル割り当て部と、
を備える、無線通信システム。
【請求項９】
マルチチャネルアクセス方式で無線通信を行う複数の無線中継装置の優先順位を設定し、
前記複数の無線中継装置のうちいずれかの無線中継装置の制御チャネルを利用する無線端末に対し、前記設定された無線中継装置の優先順位に基づいて、前記無線中継装置の通信チャネルを割り当てる、
チャネル割り当て方法。
【請求項１０】
マルチチャネルアクセス方式で無線通信を行う複数の無線中継装置の優先順位を設定し、
前記複数の無線中継装置のうちいずれかの無線中継装置の制御スチャネルを利用する無線端末に対し、前記設定された無線中継装置の優先順位に基づいて、前記無線中継装置の通信チャネルを割り当てる、
処理をコンピュータに実行させるためのチャネル割り当てプログラム。
【発明の詳細な説明】
【技術分野】
【０００１】
本発明は、無線通信制御装置、無線通信システム、チャネル割り当て方法及びプログラムに関し、特に、無線通信を制御する無線通信制御装置、無線通信システム、チャネル割り当て方法及びプログラムに関する。
【背景技術】
【０００２】
業務用移動通信システムとして、８００ＭＨｚ帯の電波を利用したマルチチャネルアクセス方式のＭＣＡ（Multi-Channel Access）無線が利用されている。ＭＣＡ無線は、複数の通信チャネルを多数のユーザが共用することで、電波の有効利用と利便性を図っている。
【０００３】
関連する技術として、例えば、特許文献１及び２に記載された技術が知られている。特許文献１には、マルチチャネルアクセスシステムにおいて、通信チャネルを設定し、通話を行う技術が記載されている。特許文献２には、センター装置が、中継局による子局のポーリング動作を制御する技術が記載されている。
【先行技術文献】
【特許文献】
【０００４】
【特許文献１】特開昭６３−２００６２９号公報
【特許文献２】特開平０４−２９２０９６号公報
【発明の概要】
【発明が解決しようとする課題】
【０００５】
ＭＣＡ無線では、複数の定められた周波数を複数のユーザで共同使用して通信を行い、無線中継装置が複数の通信チャネル（周波数）から自動的に空きチャネルを選択して割り当てる通信方式を取ることで、一定数の通信チャネルを多数のユーザが共有してスムーズに通話を行う事を可能にしている。
【０００６】
しかしながら、関連する技術では、複数の無線中継装置の通信チャネルを無線端末に割り当てる際に、複数の無線中継装置の負荷を分散させることが困難な場合があるという問題がある。
【０００７】
本開示は、このような課題に鑑み、複数の無線中継装置の負荷を分散させることが可能な無線通信制御装置、無線通信システム、チャネル割り当て方法及びプログラムを提供することを目的とする。
【課題を解決するための手段】
【０００８】
本開示に係る無線通信制御装置は、マルチチャネルアクセス方式で無線通信を行う複数の無線中継装置の優先順位を設定する優先順位設定部と、前記複数の無線中継装置のうちいずれかの無線中継装置の制御チャネルを利用する無線端末に対し、前記設定された無線中継装置の優先順位に基づいて、前記無線中継装置の通信チャネルを割り当てるチャネル割り当て部と、を備えるものである。
【０００９】
本開示に係る無線通信システムは、無線端末と複数の無線中継装置と無線通信制御装置とを備えた無線通信システムであって、前記無線通信制御装置は、マルチチャネルアクセス方式で無線通信を行う前記複数の無線中継装置の優先順位を設定する優先順位設定部と、前記複数の無線中継装置のうちいずれかの無線中継装置の制御チャネルを利用する前記無線端末に対し、前記設定された無線中継装置の優先順位に基づいて、前記無線中継装置の通信チャネルを割り当てるチャネル割り当て部と、を備えるものである。
【００１０】
本開示に係るチャネル割り当て方法は、マルチチャネルアクセス方式で無線通信を行う複数の無線中継装置の優先順位を設定し、前記複数の無線中継装置のうちいずれかの無線中継装置の制御チャネルを利用する無線端末に対し、前記設定された無線中継装置の優先順位に基づいて、前記無線中継装置の通信チャネルを割り当てるものである。
【００１１】
本開示に係るチャネル割り当てプログラムは、マルチチャネルアクセス方式で無線通信を行う複数の無線中継装置の優先順位を設定し、前記複数の無線中継装置のうちいずれかの無線中継装置の制御チャネルを利用する無線端末に対し、前記設定された無線中継装置の優先順位に基づいて、前記無線中継装置の通信チャネルを割り当てる、処理をコンピュータに実行させるためのチャネル割り当てプログラムである。
【発明の効果】
【００１２】
本開示によれば、複数の無線中継装置の負荷を分散させることが可能な無線通信制御装置、無線通信システム、チャネル割り当て方法及びプログラムを提供することができる。
【図面の簡単な説明】
【００１３】
【図１】関連する技術に係る通信チャネル割り当て例を示す図である。
【図２】実施の形態に係る通信制御装置の概要を示す構成図である。
【図３】実施の形態１に係る無線通信システムの構成を示す構成図である。
【図４】実施の形態１に係る無線通信システムの動作を示すシーケンス図である。
【図５】実施の形態１に係る通信制御装置の構成を示す構成図である。
【図６】実施の形態１に係る優先順位の設定情報の例を示す図である。
【図７】実施の形態１に係る通信チャネル割り当て動作を示すフローチャートである。
【図８】実施の形態１に係る通信チャネル割り当て例を示す図である。
【図９】実施の形態１に係る通信チャネル割り当て例を示す図である。
【図１０】実施の形態２に係る通信制御装置の構成を示す構成図である。
【図１１】実施の形態２に係る通信チャネル割り当て動作を示すフローチャートである。
【発明を実施するための形態】
【００１４】
以下、図面を参照して実施の形態について説明する。各図面においては、同一の要素には同一の符号が付されており、必要に応じて重複説明は省略される。
【００１５】
（実施の形態に至る検討）
まず、関連する技術を用いて、実施の形態に至る検討について説明する。図１は、関連する技術に係る無線通信システム及びそのチャネル割り当て動作例を示している。図１に示すように、無線通信システム２は、通信制御装置９０、中継局ＲＳ＃１、複数の無線中継装置ＢＴＳ＃１〜＃３（いずれかを無線中継装置ＢＴＳとも言う）、複数のユーザ無線局ＭＬ＃１〜＃７（いずれかをユーザ無線局ＭＬとも言う）を備えている。
【００１６】
無線通信システム２は、ＭＣＡ無線サービスをユーザに提供するシステムである。ユーザは、ＭＣＡ無線サービスを提供する通信事業者と契約し、利用するユーザ無線局ＭＬや利用するサービスエリアＳＡを登録することで、ＭＣＡ無線による通信（通話）が可能となる。ユーザが契約すると、ユーザ無線局ＭＬごとにユーザコードが付与され、このユーザコードに基づいて、ユーザ無線局ＭＬは他のユーザ無線局ＭＬと通信を行う。ユーザ無線局ＭＬ間の通信を可能とするため、この例では、サービスエリアＳＡ＃１にサービスを提供する中継局ＲＳ＃１が、ユーザ無線局ＭＬ＃１〜＃７の通信を中継する無線中継装置ＢＴＳ＃１〜＃３を収容し、通信制御装置９０が、無線中継装置ＢＴＳ＃１〜＃３及びユーザ無線局ＭＬ＃１〜＃７の通信を制御する。
【００１７】
関連する技術では、ユーザ無線局ＭＬが通信を行う際、通信制御装置９０が、ユーザ無線局ＭＬのユーザコードに対応した無線中継装置ＢＴＳの空きチャネルをユーザ無線局ＭＬに割り当てる。図１に示すように、各無線中継装置ＢＴＳは、４キャリア（周波数）及び各キャリアに４スロット（タイムスロット）の１６チャネルを有している。キャリア１〜キャリア４の周波数は、無線中継装置ＢＴＳごとに異なる。この１６チャネルのうちの１チャネルを共通アクセスチャネルＣＡＣとし、他の１５チャネルをユーザ個別チャネルＵＳＣとする。共通アクセスチャネルＣＡＣは、呼接続制御等の通信制御用の制御チャネルであり（共通アクセスチャネルを制御チャネルとも言う）、ユーザ個別チャネルＵＳＣは、通話等の通信用の通信チャネルである（ユーザ個別チャネルを通信チャネルとも言う）。
【００１８】
ユーザ無線局ＭＬは、通信を行うため、いずれかの無線中継装置ＢＴＳの共通アクセスチャネルＣＡＣに通信要求（発呼）を行う。このとき、ユーザ無線局ＭＬは、ＭＣＡ無線の通信規格にしたがい、ユーザ無線局ＭＬのユーザコードに基づいて、アクセスする無線中継装置ＢＴＳの共通アクセスチャネルＣＡＣを選択する。具体的には、ユーザコードを中継局における無線中継装置の数（この例では“３”）で割った余りを求め、この余りに対応する無線中継装置の共通アクセスチャネルＣＡＣを選択し、その共通アクセスチャネルＣＡＣを介して、通信を要求する。そうすると、関連する技術では、通信制御装置９０が、選択されて要求のあった共通アクセスチャネルＣＡＣが含まれる無線中継装置ＢＴＳの空きチャネルをユーザ無線局ＭＬに割り当てる。
【００１９】
図１の例では、ユーザ無線局ＭＬ＃１、ＭＬ＃３、ＭＬ＃５、ＭＬ＃６、ＭＬ＃７が、ユーザコードに基づいて無線中継装置ＢＴＳ＃１の共通アクセスチャネルＣＡＣ＃１を選択し、ユーザ無線局ＭＬ＃４が、ユーザコードに基づいて無線中継装置ＢＴＳ＃２の共通アクセスチャネルＣＡＣ＃２を選択し、ユーザ無線局ＭＬ＃２が、ユーザコードに基づいて無線中継装置ＢＴＳ＃３の共通アクセスチャネルＣＡＣ＃３を選択する。
【００２０】
ユーザ無線局ＭＬ＃１〜ＭＬ＃７の順に通信を要求したとすると、まず、ユーザ無線局ＭＬ＃１は、無線中継装置ＢＴＳ＃１の共通アクセスチャネルＣＡＣ＃１にアクセスする。そうすると、無線中継装置ＢＴＳ＃１のキャリア１〜４のチャネルが空いているため、無線中継装置ＢＴＳ＃１のキャリア１のユーザ個別チャネルＵＳＣ（空きスロット）が割り当てられる（Ｓ１）。次に、ユーザ無線局ＭＬ＃２は、無線中継装置ＢＴＳ＃３の共通アクセスチャネルＣＡＣ＃３にアクセスし、無線中継装置ＢＴＳ＃３のキャリア１〜４のチャネルが開いているため、無線中継装置ＢＴＳ＃３のキャリア１のユーザ個別チャネルＵＳＣが割り当てられる（Ｓ２）。
【００２１】
同様に、ユーザ無線局ＭＬ＃３には、無線中継装置ＢＴＳ＃１のキャリア２のユーザ個別チャネルＵＳＣが割り当てられ（Ｓ３）、ユーザ無線局ＭＬ＃４には、無線中継装置ＢＴＳ＃２のキャリア１のユーザ個別チャネルＵＳＣが割り当てられる（Ｓ４）。さらに、ユーザ無線局ＭＬ＃５には、無線中継装置ＢＴＳ＃１のキャリア３のユーザ個別チャネルＵＳＣが割り当てられ（Ｓ５）、ユーザ無線局ＭＬ＃に６は、無線中継装置ＢＴＳ＃１のキャリア４のユーザ個別チャネルＵＳＣが割り当てられる（Ｓ６）。
【００２２】
このとき、無線中継装置ＢＴＳ＃１の全てのチャネルが割り当てられて使用中となり、ユーザ無線局ＭＬ＃７が、無線中継装置ＢＴＳ＃１の共通アクセスチャネルＣＡＣ＃１にアクセスすると、無線中継装置ＢＴＳ＃１に空きチャネルがないため、ユーザ無線局ＭＬ＃７の接続が拒否されてしまう（Ｓ７）。なお、通話時間が３〜５分に制限されているため、通常、３〜５分後に通話可能となる。
【００２３】
上記のようにＭＣＡ無線の無線通信システムは、業務用として利用されており、例えば、公共団体ではＭＣＡ無線により独自の自営網通信インフラを構築し運用している。その自営網通信インフラの中には、図１のように、１つの局舎内に複数の無線中継装置が配置されている中継局が存在する。関連する技術では、契約ユーザコードに対応した共通アクセスチャネルＣＡＣを持つ無線中継装置のユーザ個別チャネルＵＳＣを割り当てる。すなわち、関連する技術では、ユーザコードに基づいて共通アクセスチャネルが選択されることから、ある程度、共通アクセスチャネル（無線中継装置）ごとにユーザが振り分けられているという前提のもと、契約ユーザに応じて特定される無線中継装置の中のチャネルを割り当てるという方法を採用している。
【００２４】
しかしながら、この割り当て方法では、同一中継局内に複数の無線中継装置が配置されていても、自局のユーザコードによって使用できる無線中継装置は一つに限定され、それ以外の無線中継装置では通信することはできない。契約ユーザ（ユーザコード）の多いエリアでは１つの無線中継装置にユーザが集中してしまうことがあり、無線中継装置のユーザ個別チャネルが全て使用状態になることがある。そのため、当該無線中継装置以外の中継局装置のユーザ個別チャネルに空きがあるにもかかわらず、当該無線中継装置はユーザ個別チャネルの空きがないことからユーザ個別チャネルの割り当てができず、通信できないという問題が生じる。すなわち、関連する技術では、無線中継装置の負荷やリスクを分散させることできない。
【００２５】
この問題を解決する方法として、無線中継装置を増設することでユーザを分散させる方法もあるが、無線中継装置の設置場所やコストといったことを考えると、安易に無線中継装置を増設することは難しい。そこで、以下の実施の形態では、無線中継装置を増設せずに上述したような局所的通信負荷等の問題を解決することを可能とする。
【００２６】
（実施の形態の概要）
図２は、実施の形態に係る通信制御装置の概要を示している。通信制御装置（無線通信制御装置）１００は、優先順位設定部１１０及びチャネル割り当て部１２０を備えている。
【００２７】
優先順位設定部１１０は、マルチチャネルアクセス（ＭＣＡ）方式で無線通信を行う複数の無線中継装置の優先順位を設定する。チャネル割り当て部１２０は、複数の無線中継装置のうちいずれかの無線中継装置の制御チャネルを利用する無線端末に対し、優先順位設定部１１０により設定された無線中継装置の優先順位に基づいて、無線中継装置の通信チャネルを割り当てる。
【００２８】
実施の形態では、ＭＣＡ無線システムにおける通信制御装置が、設定された無線中継装置の優先順位に基づいてユーザ個別チャネル（通信チャネル）を割り当てることで、複数の無線中継装置の通信チャネルを共有リソースとして、共通アクセスチャネル（制御チャネル）を持たない無線中継装置にチャネルの振り分け制御を可能とする。すなわち、複数の無線中継装置で構成されたシステムにおいて、無線サービスエリアを契約しているユーザ無線局（無線端末）が当該システム内における契約無線中継装置以外の無線中継装置のユーザ個別チャネルを利用することができる。関連する技術では、ユーザコードに基づいて特定される共通アクセスチャネルを持っている無線中継装置のユーザ個別チャネルが割り当てられていたが、ユーザ個別チャネルを共有することで共通アクセスチャネルを持っていない無線中継装置の通信リソースを使用することができるため、システム全体として通信リソースを増加させることができる。
【００２９】
（実施の形態１）
以下、図面を参照して実施の形態１について説明する。図３は、本実施の形態に係る無線通信システムの構成例を示している。図３に示すように、本実施の形態に係る無線通信システム１は、運用監視制御装置２０、通信制御装置１０、複数の中継局ＲＳ＃１及び＃２（いずれかを中継局ＲＳとも言う）、複数の無線中継装置ＢＴＳ＃１〜＃５、複数のユーザ無線局ＭＬ＃１〜＃７を備えている。例えば、ＭＣＡ無線システムは、タクシーやバスの業務無線、自治体の防災無線、企業の危機管理用無線などの業務用移動通信システムとして利用可能である。また、無線通信システム１は、８００ＭＨｚ帯デジタルＭＣＡ無線システムであり、各装置は、ＡＲＩＢ ＳＴＤ−Ｔ８５等のＭＣＡ無線通信の標準規格に準拠して動作する。
【００３０】
運用監視制御装置２０は、通信制御装置１０と接続され、通信制御装置１０を介して無線通信システム１の運用状態を監視する。例えば、運用監視制御装置２０は、通信制御装置１０や無線中継装置ＢＴＳ＃１〜＃５（中継局ＲＳ＃１及び＃２）の通信状況や故障状態等の情報を定期的に収集し、収集した結果を表示装置等に出力する。また、運用監視制御装置２０は、通信制御装置１０や無線中継装置ＢＴＳ（中継局ＲＳ＃１及び＃２）に対し運用に必要な設定を行う。
【００３１】
通信制御装置１０は、無線中継装置ＢＴＳ等との通信制御及び各通信の呼接続制御を行う装置である。この例では、通信制御装置１０は、中継局ＲＳ＃１及び＃２の無線中継装置ＢＴＳ＃１〜＃５と通信可能に接続され、無線中継装置ＢＴＳ＃１〜＃５を介したユーザ無線局ＭＬ＃１〜＃７の通信（通話）を制御する。通信制御装置１０は、呼接続制御においてユーザ無線局ＭＬからの通信要求に対し、通信の対象となる着信無線局を選択し、ユーザ無線局ＭＬのサービス契約に基づき複数ある無線中継装置ＢＴＳの中から適切な無線中継装置ＢＴＳのユーザ個別チャネルを割り当て、通信の対象となるユーザ無線局ＭＬを割り当てたユーザ個別チャネルに移行制御を行い、通信を実現させる。
【００３２】
中継局ＲＳは、複数の無線中継装置ＢＴＳを配置する局舎であり、すなわち、複数の無線中継装置ＢＴＳを収容する収容局である。中継局ＲＳは、複数の無線中継装置ＢＴＳによってサービスエリアＳＡでユーザ無線局ＭＬにＭＣＡ無線サービスを提供する。この例では、中継局ＲＳ＃１は、無線中継装置ＢＴＳ＃１〜ＢＴＳ＃３を収容してサービスエリアＳＡ＃１でサービスを提供し、中継局ＲＳ＃２は、無線中継装置ＢＴＳ＃４及びＢＴＳ＃５を収容してサービスエリアＳＡ＃２でサービスを提供する。
【００３３】
無線中継装置ＢＴＳは、サービスエリアＳＡにおけるユーザ無線局ＭＬと無線通信を行い、中継局ＲＳ内のユーザ無線局ＭＬ間の通信や異なる中継局ＲＳにおけるユーザ無線局ＭＬ間の通信を中継する。無線中継装置ＢＴＳは、ユーザ無線局ＭＬや通信制御装置１０からの要求にしたがって、チャネル割り当てや通信接続を行う。この例では、無線中継装置ＢＴＳ＃１〜＃３は、サービスエリアＳＡ＃１において、ユーザ無線局ＭＬ＃１〜ＭＬ＃５と無線通信を行い、無線中継装置ＢＴＳ＃４及び＃５は、サービスエリアＳＡ＃２において、ユーザ無線局ＭＬ＃６〜ＭＬ＃８と無線通信を行う。
【００３４】
ユーザ無線局ＭＬは、無線中継装置ＢＴＳとＭＣＡ無線により無線通信を行う無線端末である。ユーザ無線局ＭＬは、移動型の無線機であり、サービスエリアＳＡ内やサービスエリアＳＡ間を移動して無線通信可能である。ＭＣＡ無線システムでは、ユーザが契約しているサービスエリアＳＡ内で、ユーザ無線局ＭＬが無線サービスを利用する。この例では、ユーザ無線局ＭＬ＃１〜ＭＬ＃５は、無線中継装置ＢＴＳ＃１〜＃３を介して他のユーザ無線局ＭＬと通信（通話）を行い、ユーザ無線局ＭＬ＃６〜ＭＬ＃８は、無線中継装置ＢＴＳ＃４及び＃５を介して他のユーザ無線局ＭＬと通信を行う。
【００３５】
図４は、本実施の形態に係る無線通信システムにおける発呼接続時の概略動作を示している。この例は、中継局ＲＳ＃１配下のサービスエリアＳＡ＃１におけるユーザ無線局ＭＬ＃１が、中継局ＲＳ＃２配下のサービスエリアＳＡ＃２におけるユーザ無線局ＭＬ＃８へ発呼し、接続する例である。なお、図４は、本実施の形態に関する動作を説明するための概略を示しており、実際にはＡＲＩＢ規格に従った詳細な手順で呼接続が行われる。すなわち、図４における「発呼要求」、「発呼応答」、「着呼通知」、「着呼応答」は、呼接続のために用いるメッセージの一例であり、正式には標準規格に定められたメッセージが用いられる。
【００３６】
図４に示すように、ユーザ無線局ＭＬ＃１は、ユーザの操作に応じて、ユーザ無線局ＭＬ＃８と通話するため、無線中継装置ＢＴＳ＃１〜＃３のいずれかに発呼要求を送信する（Ｓ１０１）。ユーザ無線局ＭＬ＃１は、無線中継装置ＢＴＳにアクセスする際、ユーザ無線局ＭＬ＃１のユーザコードに基づいて、アクセスする無線中継装置ＢＴＳを選択する。上記のように、ユーザ無線局ＭＬ＃１は、ユーザコードを中継局における無線中継装置の数で割った余りを求め、この余りに対応する無線中継装置の共通アクセスチャネルＣＡＣを介して、発呼を要求する。
【００３７】
続いて、通信制御装置１０は、発呼側のチャネルを割り当てる（Ｓ１０２）。通信制御装置１０は、無線中継装置ＢＴＳ＃１〜＃３のいずれかを介して、ユーザ無線局ＭＬ＃１の発呼要求を受け付けると、発呼側の中継局ＲＳ＃１における無線中継装置ＢＴＳ＃１〜＃３のいずれかの空きチャネルをユーザ無線局ＭＬ＃１に割り当てる。通信制御装置１０は、通信チャネルの割り当てを該当する無線中継装置ＢＴＳに設定する。具体的な割り当て方法については後述する。
【００３８】
なお、発呼側のチャネル割り当てのタイミングは、発呼側のユーザ無線局ＭＬ＃１から発呼要求を受け付けた時でもよいし、着呼側のユーザ無線局ＭＬ＃８から着呼応答を受け付けた時でもよい。また、発呼側のユーザ無線局ＭＬ＃１から発呼要求を受け付けた時に、発呼側の通信チャネルを一時的に（仮に）割り当てておき、着呼側のユーザ無線局ＭＬ＃８から着呼応答を受け付けた時に、その通信チャネルの割り当てを確定してもよい。
【００３９】
続いて、通信制御装置１０は、着呼側の中継局を検索する（Ｓ１０３）。通信制御装置１０は、着呼側のユーザ無線局ＭＬ＃８へ着呼処理を行うため、発呼要求の宛先であるユーザ無線局ＭＬ＃８が登録されている中継局ＲＳを検索する。
【００４０】
続いて、通信制御装置１０は、着呼側のチャネルを割り当てる（Ｓ１０４）。通信制御装置１０は、着呼側の中継局ＲＳ＃２が特定されると、中継局ＲＳ＃２における無線中継装置ＢＴＳ＃４及び＃５のいずれかの空きチャネルをユーザ無線局ＭＬ＃８に割り当てる。通信制御装置１０は、通信チャネルの割り当てを該当する無線中継装置ＢＴＳに設定する。この割り当て方法は、Ｓ１０２の発呼側の場合と同様である。なお、着呼側のチャネル割り当てのタイミングは、着呼側の中継局を検索した時でもよいし、着呼側のユーザ無線局ＭＬ＃８から着呼応答を受け付けた時でもよい。また、着呼側の中継局を検索した時に、着呼側の通信チャネルを一時的に（仮に）割り当てておき、着呼側のユーザ無線局ＭＬ＃８から着呼応答を受け付けた時に、その通信チャネルの割り当てを確定してもよい。
【００４１】
続いて、通信制御装置１０は、ユーザ無線局ＭＬ＃８へ着呼通知を送信する（Ｓ１０５）。通信制御装置１０は、着呼側の中継局ＲＳ＃２における無線中継装置ＢＴＳ＃４及び＃５のいずれかの共通アクセスチャネルＣＡＣを介して、ユーザ無線局ＭＬ＃８へ着呼を通知する。共通アクセスチャネルＣＡＣは、発呼の場合と同様に、ユーザ無線局ＭＬ＃８のユーザコードに基づいて選択される。
【００４２】
続いて、通信制御装置１０は、ユーザ無線局ＭＬ＃８から着呼応答を受け付ける（Ｓ１０６）。ユーザ無線局ＭＬ＃８は、着呼通知を受信すると呼び出し中となり、ユーザの操作に応じて、ユーザ無線局ＭＬ＃１に応答するため、無線中継装置ＢＴＳ＃４及び＃５のいずれかの共通アクセスチャネルＣＡＣを介して、着呼応答を送信する。
【００４３】
続いて、通信制御装置１０は、ユーザ無線局ＭＬ＃１へ発呼応答を送信する（Ｓ１０７）。通信制御装置１０は、無線中継装置ＢＴＳ＃４及び＃５のいずれかを介して、ユーザ無線局ＭＬ＃８の着呼応答を受け付けると、発呼側の中継局ＲＳ＃１における無線中継装置ＢＴＳ＃１〜＃３のいずれかを介して、ユーザ無線局ＭＬ＃１へ発呼応答を送信する。これにより、ユーザ無線局ＭＬ＃１とユーザ無線局ＭＬ＃８との間で呼が設定（接続）され、無線中継装置ＢＴＳの割り当てられたチャネルを介して通話が行われる。
【００４４】
図５は、本実施の形態に係る通信制御装置１０の構成を示している。図５に示すように、通信制御装置１０は、設定部１１、割り当て部１２、呼制御部１３を備えている。
【００４５】
設定部（優先順位設定部）１１は、運用監視制御装置２０からの指示にしたがって、通信制御装置１０の動作に必要な設定を行う。特に、設定部１１は、ユーザ無線局ＭＬへ無線中継装置ＢＴＳの通信チャネルを割り当てるための優先順位を設定する。優先順位は、ユーザ無線局ＭＬの接続時に、割り当てる無線中継装置ＢＴＳ（通信キャリアや通信チャネル含む）を選択する順番を示している。
【００４６】
設定部１１は、この優先順位を設定する設定情報Ｄ０を記憶する設定情報記憶部１１ａを有する。図６は、優先順位の設定情報Ｄ０の例を示している。図６に示すように、設定情報Ｄ０には、優先順位設定数と優先順位を示すデータを含んでいる。この例は、無線中継装置及びキャリアの優先順位を設定する例である。例えば、優先順位は１つにつき４Ｂｙｔｅの情報を持ち、中継局を示す中継局番号、中継局内の無線中継装置を示すＢＴＳ番号、無線中継装置内のキャリアを示すキャリア番号となっている。優先順位は、キャリア番号を省略して、ＢＴＳ番号のみでもよいし、さらに、キャリア内のチャネルを示すチャネル番号（スロット番号）を含んでもよい。通常の優先順位は、同一中継局内の無線中継装置番号と無線中継装置内のキャリア番号の若番から優先的に付与する。なお、その他、地域を示す地域コード、ネットワーク種別を示すネットワーク番号、ユーザ無線局が契約している通信制御装置を示す制御ゾーン番号等を含んでもよい。
【００４７】
割り当て部（チャネル割り当て部）１２は、設定部１１によって設定された優先順位に基づいて、ユーザ無線局ＭＬに無線中継装置ＢＴＳの通信チャネルを割り当てる。割り当て部１２は、ユーザ無線局ＭＬの接続ごとに（例えば、図４のＳ１０２やＳ１０４）、設定部１１の設定情報Ｄ０の優先順位にしたがって、無線中継装置ＢＴＳ（通信キャリアや通信チャネル含んでもよい）を順次選択し、選択した無線中継装置ＢＴＳの空きチャネルをユーザ無線局ＭＬに割り当てる。割り当て部１２は、ユーザ無線局ＭＬが無線中継装置ＢＴＳに通信接続を行った順に、予め設定された優先順位の高い無線中継局から通信チャネルを割り当てていく。無線中継装置ＢＴＳの通信キャリアの優先順位が設定されている場合、その優先順位にしたがって、無線中継装置ＢＴＳの通信キャリアを選択し、選択された通信キャリアの空きチャネルを割り当てる。また、無線中継装置ＢＴＳの通信キャリア内のチャネルの優先順位が設定されている場合、その優先順位にしたがって、無線中継装置ＢＴＳの通信キャリアのチャネルのうち空いているチャネルを割り当てる。さらに、無線中継装置ＢＴＳの優先順位にしたがって、無線中継装置ＢＴＳのいずれかをラウンドロビン方式で順次選択してもよいし、無線中継装置ＢＴＳのいずれかを空きチャネルの多い順に選択してもよい（優先順位が高く空きチャネルの多いものを選択する）。
【００４８】
呼制御部１３は、中継局（無線中継装置ＢＴＳ）の間で、ユーザ無線局ＭＬ間の通信（通話）のための発呼及び着呼の接続等を制御する。呼制御部１３は、ユーザ無線局ＭＬからの通信要求に対して認証等の条件に問題がなければ、通信接続を行う。呼制御部１３は、図４のような呼接続シーケンスを制御する。例えば、発呼側のユーザ無線局ＭＬからの発呼要求を受け付けると（図４のＳ１０１）、着呼側の中継局を検索し（図４のＳ１０３）、着呼側のユーザ無線局ＭＬへ着呼を通知する（Ｓ１０５）。
【００４９】
図７は、本実施の形態に係る無線通信システムにおけるチャネル割り当て動作を示し、図８及び図９は、その動作例を示している。図７に示すように、まず、運用監視制御装置２０は、通信制御装置１０に優先順位を設定する（Ｓ２０１）。運用監視制御装置２０は、図６に示すような優先順位を含む設定情報Ｄ０を通信制御装置１０に入力し、通信制御装置１０の設定部１１は、入力された設定情報Ｄ０を設定情報記憶部１１ａに格納する。
【００５０】
続いて、ユーザ無線局ＭＬは、他のユーザ無線局ＭＬと通信を行うため、無線中継装置ＢＴＳへ通信を要求する（Ｓ２０２）。ユーザ無線局ＭＬは、ユーザ無線局ＭＬのユーザコードに基づき無線中継装置ＢＴＳの共通アクセスチャネルＣＡＣを選択し、選択した共通アクセスチャネルＣＡＣを介して、通信制御装置１０へ通信要求（発呼）を行う。
【００５１】
続いて、通信制御装置１０は、設定された優先順位に基づいて無線中継装置ＢＴＳの空きチャネルをユーザ無線局ＭＬに割り当てる（Ｓ２０３）。通信制御装置１０の割り当て部１２は、設定部１１で設定情報Ｄ０に設定された順位に従い、無線中継装置ＢＴＳ（キャリア及びチャネル）を選択し、空きチャネルをユーザ無線局ＭＬへ割り当てる。
【００５２】
その後、ユーザ無線局ＭＬは、割り当てられたチャネルにより通信（通話）を行う（Ｓ２０４）。通信制御装置１０の割り当て部１２は、該当する無線中継装置ＢＴＳにチャネルの割り当てを設定し、ユーザ無線局ＭＬは、設定された無線中継装置ＢＴＳのチャネルを介して無線通信を行う。
【００５３】
図８及び図９の動作例では、図１と同様に、無線中継装置ＢＴＳは、４キャリア及び各キャリアに４スロットの１６チャネルを有している。なお、通信チャネルの構成は、通信規格に従ったものであればよく、８キャリア及び各キャリアに４スロットの３２チャネルでもよい。
【００５４】
図８の例では、図１と同様に、ユーザ無線局ＭＬ＃１、ＭＬ＃３、ＭＬ＃５、ＭＬ＃６、ＭＬ＃７が、共通アクセスチャネルＣＡＣ＃１を選択し、ユーザ無線局ＭＬ＃４が、共通アクセスチャネルＣＡＣ＃２を選択し、ユーザ無線局ＭＬ＃２が、共通アクセスチャネルＣＡＣ＃３を選択する。
【００５５】
ユーザ無線局ＭＬ＃１〜ＭＬ＃７の順に通信要求（発呼）を行ったとすると、まず、ユーザ無線局ＭＬ＃１は、無線中継装置ＢＴＳ＃１の共通アクセスチャネルＣＡＣ＃１にアクセスする。そうすると、通信制御装置１０は、設定情報Ｄ０に基づいて、中継局ＲＳ＃１の中で空いているキャリアのうち優先順位１の（１番目に優先順位の高い）無線中継装置ＢＴＳ＃１のキャリア１を選択し、選択したキャリア１のユーザ個別チャネルＵＳＣ（空きスロット）をユーザ無線局ＭＬ＃１に割り当てる（Ｓ１１）。例えば、通信制御装置１０は、設定情報Ｄ０の優先順位にしたがい、同一中継局内の無線中継装置で最若番の無線中継装置＃１のスロットで空きのあるキャリアのうち最も小さい番号であるキャリア１のユーザ個別チャネルＵＳＣを割り当ててもよい。
【００５６】
次に、ユーザ無線局ＭＬ＃２が、無線中継装置ＢＴＳ＃３の共通アクセスチャネルＣＡＣ＃３にアクセスすると、通信制御装置１０は、設定情報Ｄ０に基づいて、中継局ＲＳ＃１の中で空いているキャリアのうち優先順位２の（２番目に優先順位の高い）無線中継装置ＢＴＳ＃２のキャリア１を選択し、選択したキャリア１のユーザ個別チャネルＵＳＣをユーザ無線局ＭＬ＃２に割り当てる（Ｓ１２）。例えば、通信制御装置１０は、設定情報Ｄ０の優先順位にしたがい、同一中継局内の無線中継装置で次に若い番号の無線中継装置＃２のスロットで空きのあるキャリアのうち最も小さい番号であるキャリア１のユーザ個別チャネルＵＳＣを割り当ててもよい。
【００５７】
次に、ユーザ無線局ＭＬ＃３が、無線中継装置ＢＴＳ＃１の共通アクセスチャネルＣＡＣ＃１にアクセスすると、通信制御装置１０は、設定情報Ｄ０に基づいて、中継局ＲＳ＃１の中で空いているキャリアのうち優先順位３の（３番目に優先順位の高い）無線中継装置ＢＴＳ＃３のキャリア１を選択し、選択したキャリア１のユーザ個別チャネルＵＳＣをユーザ無線局ＭＬ＃３に割り当てる（Ｓ１３）。例えば、通信制御装置１０は、設定情報Ｄ０の優先順位にしたがい、同一中継局内の無線中継装置で次に若い番号の無線中継装置＃３のスロットで空きのあるキャリアのうち最も小さい番号であるキャリア１のユーザ個別チャネルＵＳＣを割り当ててもよい。
【００５８】
次に、ユーザ無線局ＭＬ＃４が、無線中継装置ＢＴＳ＃２の共通アクセスチャネルＣＡＣ＃２にアクセスすると、通信制御装置１０は、設定情報Ｄ０に基づいて、中継局ＲＳ＃１の中で空いているキャリアのうち優先順位４の（４番目に優先順位の高い）無線中継装置ＢＴＳ＃１のキャリア２を選択し、選択したキャリア２のユーザ個別チャネルＵＳＣをユーザ無線局ＭＬ＃４に割り当てる（Ｓ１４）。例えば、通信制御装置１０、同一中継局内の無線中継装置で次に若い番号が無いため、Ｓ１１の無線中継装置＃１にて次に小さい番号であるキャリア２のユーザ個別チャネルＵＳＣを割り当ててもよい。
【００５９】
次に、ユーザ無線局ＭＬ＃５が、無線中継装置ＢＴＳ＃１の共通アクセスチャネルＣＡＣ＃１にアクセスすると、通信制御装置１０は、設定情報Ｄ０に基づいて、中継局ＲＳ＃１の中で空いているキャリアのうち優先順位５の（５番目に優先順位の高い）無線中継装置ＢＴＳ＃２のキャリア２を選択し、選択したキャリア２のユーザ個別チャネルＵＳＣをユーザ無線局ＭＬ＃５に割り当てる（Ｓ１５）。例えば、通信制御装置１０は、Ｓ１２の無線中継装置＃２にて次に小さい番号であるキャリア２のユーザ個別チャネルＵＳＣを割り当ててもよい。
【００６０】
次に、ユーザ無線局ＭＬ＃６が、無線中継装置ＢＴＳ＃１の共通アクセスチャネルＣＡＣ＃１にアクセスすると、通信制御装置１０は、設定情報Ｄ０に基づいて、中継局ＲＳ＃１の中で空いているキャリアのうち優先順位６の（６番目に優先順位の高い）無線中継装置ＢＴＳ＃３のキャリア２を選択し、選択したキャリア２のユーザ個別チャネルＵＳＣをユーザ無線局ＭＬ＃５に割り当てる（Ｓ１６）。例えば、通信制御装置１０は、Ｓ１３の無線中継装置＃３にて次に小さい番号であるキャリア２のユーザ個別チャネルＵＳＣを割り当ててもよい。
【００６１】
次に、ユーザ無線局ＭＬ＃７が、無線中継装置ＢＴＳ＃１の共通アクセスチャネルＣＡＣ＃１にアクセスすると、通信制御装置１０は、設定情報Ｄ０に基づいて、中継局ＲＳ＃１の中で空いているキャリアのうち優先順位７の（７番目に優先順位の高い）無線中継装置ＢＴＳ＃１のキャリア３を選択し、選択したキャリア３のユーザ個別チャネルＵＳＣをユーザ無線局ＭＬ＃７に割り当てる（Ｓ１７）。例えば、通信制御装置１０は、Ｓ１４と同様に、同一中継局内の無線中継装置で次に若い番号が無いため、Ｓ１１の無線中継装置＃１にて次に小さい番号であるキャリア３のユーザ個別チャネルＵＳＣを割り当ててもよい。
【００６２】
その後の割り当て順位は、図９の通りである。すなわち、次に、その他のユーザ無線局ＭＬが共通アクセスチャネルＣＡＣ＃１〜＃３のいずれかでアクセスした順番にしたがって、無線中継装置ＢＴＳ＃２のキャリア３（Ｓ１８）、無線中継装置ＢＴＳ＃３のキャリア３（Ｓ１９）、無線中継装置ＢＴＳ＃１のキャリア４（Ｓ２０）、無線中継装置ＢＴＳ＃２のキャリア４（Ｓ２１）、無線中継装置ＢＴＳ＃３のキャリア４（Ｓ２２）が順次割り当てられる。
【００６３】
以上のように、本実施の形態では、通信制御装置が、設定された無線中継装置の優先順位に基づいて、無線中継装置の空きチャネルをユーザ無線局に割り当てることで、中継局の通信リソースの有効活用を図る。すなわち、通信制御装置の保持情報として同一中継局内の複数ある無線中継装置に優先順位を設けることで、共通アクセスチャネルを持っている無線中継装置だけにユーザ個別チャネルを割り当てるのではなく、同一中継局内の共通アクセスチャネルを持っていないその他の無線中継装置のユーザ個別チャネルを割り当て可能にし、中継局内の複数ある無線中継装置の通信チャネルを共有化した。共有化したことにより中継局としては相対的に通信リソースが増加し、１つの無線中継装置にかかる通信負荷やリスクの分散を図ることができる。また、上記方法は、無線中継装置を増設する必要がないので設置場所、コストの問題が解決される。
【００６４】
（実施の形態２）
次に、実施の形態２について説明する。本実施の形態では、実施の形態１の構成及び動作に加えて、チャネルの代行を考慮して優先順位を設定する。代行とは、通信中のチャネル（キャリア）に障害が発生した場合に、他のチャネル（キャリア）に切り替えて通信（通話）を継続することである。
【００６５】
図１０は、本実施の形態に係る通信制御装置１０の構成を示している。図１０に示すように、通信制御装置１０は、実施の形態１の図５と同様に、設定部１１、割り当て部１２、呼制御部１３を備え、さらに、監視部１４及び代行部１５を備えている。本実施の形態では、設定部１１は、設定情報Ｄ０として、代行を考慮して優先順位を設定する。例えば、代行用のキャリア（チャネル）の優先順位を他のキャリア（チャネル）の優先順位よりも低く設定する。例えば、実施の形態１の図６の設定情報Ｄ０の例では、最も低い優先順位１０〜１２を代行用のチャネルとする。
【００６６】
監視部１４は、無線中継装置ＢＴＳの障害を監視する。例えば、無線中継装置ＢＴＳは、キャリア（周波数）ごとに送受信回路を備えており、監視部１４は、無線中継装置ＢＴＳの送受信回路の故障により、キャリア（チャネル）に障害が発生したことを検出する。代行部１５は、監視部１４が無線中継装置ＢＴＳの障害を検出した場合に、障害が発生したキャリアのチャネルを、設定情報Ｄ０に基づいて切り替え、チャネルの代行を行う。
【００６７】
図１１は、本実施の形態に係る無線通信システムにおけるチャネル割り当て及び代行動作を示している。図１１に示すように、実施の形態１の図７と同様、まず、運用監視制御装置２０は、通信制御装置１０に優先順位を設定し（Ｓ２０１）、ユーザ無線局ＭＬが通信を要求すると（Ｓ２０２）、通信制御装置１０は、設定された優先順位に基づいて無線中継装置ＢＴＳの空きチャネルをユーザ無線局ＭＬに割り当て（Ｓ２０３）、ユーザ無線局ＭＬは、割り当てられたチャネルにより通信を行う（Ｓ２０４）。本実施の形態では、設定部１１が、Ｓ２０１において、代行用のキャリア（チャネル）の優先順位を低く設定し、割り当て部１２が、Ｓ２０３において、設定された優先順位に基づいて、高い優先順位のキャリア（チャネル）からチャネルを割り当てる。
【００６８】
続いて、無線中継装置ＢＴＳにチャネル障害が発生すると（Ｓ２０５）、通信制御装置１０は、設定に基づいて無線中継装置ＢＴＳのチャネルを切り替え（Ｓ２０６）、切り替えられたチャネルにより代行を行う（Ｓ２０７）。監視部１４が、無線中継装置ＢＴＳのキャリア（チャネル）障害を検出し、代行部１５が、設定情報Ｄ０に基づいてチャネル切り替えて、代行を行う。代行部１５は、代行用として優先順位が低く設定されたキャリア（チャネル）により代行を行う。
【００６９】
このように、本実施の形態では、代行を考慮して優先順位を設定し、特に、優先順位の低いチャネルを代行用のチャネルに設定する。これにより、代行用のチャネルが通信用に割り当てられる確率を低くすることができるため、障害発生時に確実にチャネルを切り替えて、代行通信を行うことができる。
【００７０】
なお、本開示は上記実施の形態に限られたものではなく、趣旨を逸脱しない範囲で適宜変更することが可能である。例えば、ＭＣＡ無線システムに限らず、その他の防災無線、消防無線、交通無線といった公共無線システムにおいても適用可能である。このようなシステムにおいても、上記実施の形態と同様に、無線中継装置が複数ある中継局内にて通信制御装置による制御により、各無線中継装置のユーザ個別チャネルを共有リソースとして共通アクセスチャネルを持つ無線中継装置とは別の無線中継装置に通信ユーザの振り分けが可能である。
【００７１】
上述の実施形態における各構成は、ハードウェア又はソフトウェア、もしくはその両方によって構成され、１つのハードウェア又はソフトウェアから構成してもよいし、複数のハードウェア又はソフトウェアから構成してもよい。各装置の機能（処理）を、ＣＰＵやメモリ等を有するコンピュータにより実現してもよい。例えば、記憶装置に実施形態における方法（チャネル割り当て方法）を行うためのプログラムを格納し、各機能を、記憶装置に格納されたプログラムをＣＰＵで実行することにより実現してもよい。
【００７２】
これらのプログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programmable ROM）、ＥＰＲＯＭ（Erasable PROM）、フラッシュＲＯＭ、ＲＡＭ（random access memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００７３】
上記の実施形態の一部又は全部は、以下の付記のようにも記載されうるが、以下には限られない。
（付記１）
マルチチャネルアクセス方式で無線通信を行う複数の無線中継装置の優先順位を設定する優先順位設定部と、
前記複数の無線中継装置のうちいずれかの無線中継装置の制御チャネルを利用する無線端末に対し、前記設定された無線中継装置の優先順位に基づいて、前記無線中継装置の通信チャネルを割り当てるチャネル割り当て部と、
を備える、無線通信制御装置。
（付記２）
前記優先順位設定部は、前記複数の無線中継装置における複数の通信キャリアの優先順位を設定し、
前記チャネル割り当て部は、前記設定された通信キャリアの優先順位に基づいて、前記無線中継装置の通信チャネルを割り当てる、
付記１に記載の無線通信制御装置。
（付記３）
前記優先順位設定部は、前記複数の通信キャリアのうち代行通信用の通信キャリアの優先順位を他の通信キャリアの優先順位よりも低く設定する、
付記２に記載の無線通信制御装置。
（付記４）
前記優先順位設定部は、前記複数の通信キャリアにおける複数の通信チャネルの優先順位を設定し、
前記チャネル割り当て部は、前記設定された通信チャネルの優先順位に基づいて、前記無線中継装置の通信チャネルを割り当てる、
付記２または３に記載の無線通信制御装置。
（付記５）
前記チャネル割り当て部は、前記優先順位に基づき、前記無線端末の接続ごとに前記複数の無線中継装置のいずれかを順次選択し、前記選択された無線中継装置の通信チャネルを割り当てる、
付記１乃至４のいずれかに記載の無線通信制御装置。
（付記６）
前記チャネル割り当て部は、前記複数の無線中継装置のいずれかをラウンドロビン方式で選択する、
付記５に記載の無線通信制御装置。
（付記７）
前記チャネル割り当て部は、前記複数の無線中継装置のいずれかを空き通信チャネルの多い順に選択する、
付記５に記載の無線通信制御装置。
（付記８）
無線端末と複数の無線中継装置と無線通信制御装置とを備えた無線通信システムであって、
前記無線通信制御装置は、
マルチチャネルアクセス方式で無線通信を行う前記複数の無線中継装置の優先順位を設定する優先順位設定部と、
前記複数の無線中継装置のうちいずれかの無線中継装置の制御チャネルを利用する前記無線端末に対し、前記設定された無線中継装置の優先順位に基づいて、前記無線中継装置の通信チャネルを割り当てるチャネル割り当て部と、
を備える、無線通信システム。
（付記９）
前記優先順位設定部は、前記複数の無線中継装置における複数の通信キャリアの優先順位を設定し、
前記チャネル割り当て部は、前記設定された通信キャリアの優先順位に基づいて、前記無線中継装置の通信チャネルを割り当てる、
付記８に記載の無線通信システム。
（付記１０）
マルチチャネルアクセス方式で無線通信を行う複数の無線中継装置の優先順位を設定し、
前記複数の無線中継装置のうちいずれかの無線中継装置の制御チャネルを利用する無線端末に対し、前記設定された無線中継装置の優先順位に基づいて、前記無線中継装置の通信チャネルを割り当てる、
チャネル割り当て方法。
（付記１１）
前記優先順位の設定では、前記複数の無線中継装置における複数の通信キャリアの優先順位を設定し、
前記チャネル割り当てでは、前記設定された通信キャリアの優先順位に基づいて、前記無線中継装置の通信チャネルを割り当てる、
付記１０に記載のチャネル割り当て方法。
（付記１２）
マルチチャネルアクセス方式で無線通信を行う複数の無線中継装置の優先順位を設定し、
前記複数の無線中継装置のうちいずれかの無線中継装置の制御スチャネルを利用する無線端末に対し、前記設定された無線中継装置の優先順位に基づいて、前記無線中継装置の通信チャネルを割り当てる、
処理をコンピュータに実行させるためのチャネル割り当てプログラム。
（付記１３）
前記優先順位の設定では、前記複数の無線中継装置における複数の通信キャリアの優先順位を設定し、
前記チャネル割り当てでは、前記設定された通信キャリアの優先順位に基づいて、前記無線中継装置の通信チャネルを割り当てる、
付記１２に記載のチャネル割り当てプログラム。
【符号の説明】
【００７４】
１、２    無線通信システム
１０、９０  通信制御装置
１１      設定部
１１ａ    設定情報記憶部
１２      割り当て部
１３      呼制御部
１４      監視部
１５      代行部
２０      運用監視制御装置
１００    無線通信制御装置
１１０    優先順位設定部
１２０    チャネル割り当て部
ＢＴＳ、ＢＴＳ＃１〜＃５  無線中継装置
ＣＡＣ、ＣＡＣ＃１〜＃３  共通アクセスチャネル
Ｄ０      設定情報
ＭＬ、ＭＬ＃１〜＃８  ユーザ無線局
ＲＳ、ＲＳ＃１〜＃２  中継局
ＳＡ、ＳＡ＃１〜Ｓ２  サービスエリア
ＵＳＣ    ユーザ個別チャネル
【図１】
2020191538.tif 000003
【図２】
2020191538.tif 000004
【図３】
2020191538.tif 000005
【図４】
2020191538.tif 000006
【図５】
2020191538.tif 000007
【図６】
2020191538.tif 000008
【図７】
2020191538.tif 000009
【図８】
2020191538.tif 000010
【図９】
2020191538.tif 000011
【図１０】
2020191538.tif 000012
【図１１】
2020191538.tif 000013
【手続補正書】
【提出日】令和2年9月1日(2020.9.1)
【手続補正１】
【補正対象書類名】特許請求の範囲
【補正対象項目名】全文
【補正方法】変更
【補正の内容】
【特許請求の範囲】
【請求項１】
マルチチャネルアクセス方式で無線通信を行う複数の無線中継装置の優先順位を設定する優先順位設定部と、
前記複数の無線中継装置のうちいずれかの無線中継装置の制御チャネルを介して無線端末からアクセスされる場合、前記設定された無線中継装置の優先順位に基づいて、前記アクセスされる制御チャネルの無線中継装置を含む前記複数の無線中継装置の中から無線中継装置を選択し、前記選択された無線中継装置の通信チャネルを前記無線端末に割り当てるチャネル割り当て部と、
を備える、無線通信制御装置。
【請求項２】
前記優先順位設定部は、前記複数の無線中継装置における複数の通信キャリアの優先順位を設定し、
前記チャネル割り当て部は、前記設定された通信キャリアの優先順位に基づいて、前記無線中継装置の通信チャネルを割り当てる、
請求項１に記載の無線通信制御装置。
【請求項３】
前記優先順位設定部は、前記複数の通信キャリアのうち代行通信用の通信キャリアの優先順位を他の通信キャリアの優先順位よりも低く設定する、
請求項２に記載の無線通信制御装置。
【請求項４】
前記優先順位設定部は、前記複数の通信キャリアにおける複数の通信チャネルの優先順位を設定し、
前記チャネル割り当て部は、前記設定された通信チャネルの優先順位に基づいて、前記無線中継装置の通信チャネルを割り当てる、
請求項２または３に記載の無線通信制御装置。
【請求項５】
前記チャネル割り当て部は、前記優先順位に基づき、前記無線端末の接続ごとに前記複数の無線中継装置のいずれかを順次選択し、前記選択された無線中継装置の通信チャネルを割り当てる、
請求項１乃至４のいずれか一項に記載の無線通信制御装置。
【請求項６】
前記チャネル割り当て部は、前記複数の無線中継装置のいずれかをラウンドロビン方式で選択する、
請求項５に記載の無線通信制御装置。
【請求項７】
前記チャネル割り当て部は、前記複数の無線中継装置のいずれかを空き通信チャネルの多い順に選択する、
請求項５に記載の無線通信制御装置。
【請求項８】
無線端末と複数の無線中継装置と無線通信制御装置とを備えた無線通信システムであって、
前記無線通信制御装置は、
マルチチャネルアクセス方式で無線通信を行う前記複数の無線中継装置の優先順位を設定する優先順位設定部と、
前記複数の無線中継装置のうちいずれかの無線中継装置の制御チャネルを介して前記無線端末からアクセスされる場合、前記設定された無線中継装置の優先順位に基づいて、前記アクセスされる制御チャネルの無線中継装置を含む前記複数の無線中継装置の中から無線中継装置を選択し、前記選択された無線中継装置の通信チャネルを前記無線端末に割り当てるチャネル割り当て部と、
を備える、無線通信システム。
【請求項９】
マルチチャネルアクセス方式で無線通信を行う複数の無線中継装置の優先順位を設定し、
前記複数の無線中継装置のうちいずれかの無線中継装置の制御チャネルを介して無線端末からアクセスされる場合、前記設定された無線中継装置の優先順位に基づいて、前記アクセスされる制御チャネルの無線中継装置を含む前記複数の無線中継装置の中から無線中継装置を選択し、前記選択された無線中継装置の通信チャネルを前記無線端末に割り当てる、
チャネル割り当て方法。
【請求項１０】
マルチチャネルアクセス方式で無線通信を行う複数の無線中継装置の優先順位を設定し、
前記複数の無線中継装置のうちいずれかの無線中継装置の制御スチャネルを介して無線端末からアクセスされる場合、前記設定された無線中継装置の優先順位に基づいて、前記アクセスされる制御チャネルの無線中継装置を含む前記複数の無線中継装置の中から無線中継装置を選択し、前記選択された無線中継装置の通信チャネルを前記無線端末に割り当てる、
処理をコンピュータに実行させるためのチャネル割り当てプログラム。